(57)【要約】【課題】  制御基板や制御回路に負担をかけることなく、制御基板ケースの破断の痕跡を残すとともに、ケースカバーとケース本体が本当に封止状態となったかどうかを判断可能とする。【解決手段】  分離不能に連結された二つの部材に対する連結解除の痕跡を識別可能に残すセキュリティ構造であって、一方の部材側から行われる押し込み操作に応じて一方の部材及び他方の部材に形成された孔部を貫通するとともに、他方の部材に係合することによって二つの部材を連結する連結ピン４０を備え、連結ピン４０が、給電部から供給される電流の経路の一部を構成可能な導電部４５を有し、連結ピン４０による二つの部材の連結前と連結後で報知部の動作態様が異なり、二つの部材に対する連結解除の前後で報知部の動作態様が異なる。【選択図】    図７
2011194124.tif 000002
【特許請求の範囲】
【請求項１】
分離不能に連結された二つの部材に対する連結解除の痕跡を識別可能に残すセキュリティ構造であって、
一方の前記部材側から行われる押し込み操作に応じて、一方の前記部材及び他方の前記部材に形成された孔部を貫通するとともに、他方の前記部材に係合することによって二つの前記部材を連結する連結ピンと、
電力を受けて所定の動作を行う報知部と、
この報知部に電力を送る給電部と、を備え、
前記連結ピンが、前記給電部から供給される電流の経路の一部を構成可能な導電部を有し、
前記連結ピンによる前記二つの部材の連結前と連結後で前記報知部の動作態様が異なり、
前記二つの部材に対する連結解除の前後で前記報知部の動作態様が異なることを特徴とするセキュリティ構造。
【請求項２】
前記報知部の動作態様が、前記所定の動作の実行又は停止であり、
前記報知部は、
前記連結ピンによる前記二つの部材の連結前は、前記所定の動作を実行し、
連結後は、前記所定の動作を停止し、
連結解除に伴う、前記連結ピン又は前記部材の切断によって、前記所定の動作を実行する請求項１記載のセキュリティ構造。
【請求項３】
前記報知部が、前記給電部から電力の供給を受けて発光する発光部、所定の音声を出力する音声出力部、所定の信号を出力する信号出力部のうちの一又は二以上を有する請求項１又は２記載のセキュリティ構造。
【請求項４】
前記一方の部材に形成された前記孔部の内側に、前記給電部に接続された第一接触子を備え、
前記他方の部材に形成された前記孔部の内側に第二接触子を備え、
前記連結ピンは、前記押し込み操作に応じて各前記孔部を貫通し、前記他方の部材に係合したときに前記導電部が前記第一接触子と前記第二接触子とを接続する請求項１〜３のいずれか一項に記載のセキュリティ構造。
【請求項５】
前記連結ピンは、押し込み操作される頭部と、前記各孔部を貫通する軸部と、他方の前記部材に裏側から係合する係合爪部と、を備え、
前記導電部は、前記頭部の底面に並接する第一接点部と、前記係合爪部の上面に並接する第二接点部と、前記第一接点部と前記第二接点部とを連接する連接部とを有し、
前記連結ピンが前記押し込み操作に応じて各前記孔部を貫通し、前記他方の部材に係合したときに、前記第一接点部が前記第一接触子に接合し、前記第二接点部が前記第二接触子に接合する請求項１〜４のいずれか一項に記載のセキュリティ構造。
【請求項６】
前記連結ピンが、前記報知部を内蔵し、
該連結ピンが前記押し込み操作により前記孔部を貫通して前記他方の部材に係合すると、前記報知部が係合前と異なる態様で動作し、
前記二つの部材に対する連結が解除されると、前記報知部が解除前と異なる態様で動作する
ことを特徴とする請求項１〜５のいずれか一項に記載のセキュリティ構造。
【発明の詳細な説明】
【技術分野】
【０００１】
本発明は、遊技機の基板ケースなどに適用されるセキュリティ構造に関し、特に、連結ピンを用いて分離不能に連結された二つの部材に対する連結解除の痕跡を識別可能に残すセキュリティ構造に関する。
【背景技術】
【０００２】
一般に、スロットマシン、パチンコなどの遊技機では、遊技機の動作を制御するＩＣ、ＲＯＭなどの電子部品を実装した制御基板が備えられている。
近年、この種の遊技機の制御基板は、不正行為者によるＲＯＭなどの交換や改造、不正部品の追加、接続など、悪質な不正行為の標的となっており、その被害は深刻なものとなっている。
【０００３】
このような遊技機の制御基板に対する不正行為を排除する手段として、従来から、制御基板全体を所定の基板ケース内に収納し、この基板ケースを開放不能に封印固定した状態で遊技機側に取り付けるという対策が講じられてきた。
そして、遊技機の制御基板を収納した基板ケースを開放不能に封印固定する方法としては、連結ピンを用いて二つの部材を分離不能に連結する連結構造が広く用いられていた。
【０００４】
ところが、悪質な場合は、ニッパなどの剪断工具を用意し、その連結ピンを切断して、ケースを開封する不正行為者がいた。
そこで、連結ピンの切断によるケースの開封を困難にする技術が提案されている。
例えば、ケースカバーとケース本体を開封するために破断するとその痕跡が残る破断部と、ケース側部の突出部材に施された電気配線を遮断すると制御基板に痕跡が残る制御基板切断部位とを備えたものがある（例えば、特許文献１参照。）。
これによれば、破断部と制御基板切断部位の二箇所を切断しなければケースカバーを開封できないので、開封が困難となり、不正行為の意欲を減衰させることができる。
【０００５】
また、連結ピンに関する技術としては、次のものがある。
例えば、外光を受けて発電する太陽電池と、この太陽電池からの電力の供給を受けて発光するＬＥＤと、これら太陽電池とＬＥＤとを接続する配線とを連結ピンに備え、ケースカバーとケース本体との封止状態を解除するために連結ピンの突起部を切断すると、この突起部に埋め込まれた配線も切断され、ＬＥＤが消灯するものがある（例えば、特許文献２参照。）。
これによれば、ＬＥＤが消灯していることを確認することで、ケースカバーとケース本体との封止状態が解除されたことを容易に発見できる。
【先行技術文献】
【特許文献】
【０００６】
【特許文献１】特開２００６−６５３５号公報
【特許文献２】特開２００６−６８０８３号公報
【発明の概要】
【発明が解決しようとする課題】
【０００７】
しかしながら、特許文献１に記載の技術は、ケースカバーを開封する際に、制御基板の一部を切断するので、この切断によって基板本体の回路や機器に悪影響を及ぼしていた。
また、同技術においては、各制御基板切断部位の電気配線に抵抗を設けて、切断時の抵抗による電圧変化で開封履歴を保持していた。このため、ＣＰＵ、記憶装置に負担がかかり、遊技機本来の演出制御を行う主制御基板に影響を及ぼしていた。
さらに、特許文献２に記載の技術は、太陽電池という高価な部品を搭載する必要があるので、コスト高となっていた。
【０００８】
しかも、特許文献１及び２に記載の技術は、ケースカバーとケース本体との封止状態が解除されたかどうかについては判断できるものの、連結ピンの係合によりケースカバーとケース本体が本当に分離不能な封止状態となったかどうかを判断することはできなかった。
【０００９】
本発明は、上記の事情にかんがみなされたものであり、制御基板や制御回路に負担をかけることなく、制御基板ケースの破断の痕跡を残すとともに、ケースカバーとケース本体が本当に封止状態となったかどうかを判断可能とするセキュリティ構造の提供を目的とする。
【課題を解決するための手段】
【００１０】
この目的を達成するため、本発明のセキュリティ構造は、分離不能に連結された二つの部材に対する連結解除の痕跡を識別可能に残すセキュリティ構造であって、一方の部材側から行われる押し込み操作に応じて、一方の部材及び他方の部材に形成された孔部を貫通するとともに、他方の部材に係合することによって二つの部材を連結する連結ピンと、電力を受けて所定の動作を行う報知部と、この報知部に電力を送る給電部と、を備え、連結ピンが、給電部から供給される電流の経路の一部を構成可能な導電部を有し、連結ピンによる二つの部材の連結前と連結後で報知部の動作態様が異なり、二つの部材に対する連結解除の前後で報知部の動作態様が異なる構成としてある。
【発明の効果】
【００１１】
本発明のセキュリティ構造によれば、連結ピンを用いて二つの部材を分離不能に連結する連結構造において、制御基板を破断することなく二つの部材の連結が解除されるので、制御基板に負担をかけることがない。
また、制御回路を構成するＣＰＵや記憶装置を用いずに、封止状態の解除を検出するので、制御回路に負担をかけることがない。
さらに、連結ピンによる二つの部材の連結前と連結後で報知部の動作態様が異なるので、ケースカバーとケース本体が本当に分離不能な封止状態となったかどうかを判断できる。
【図面の簡単な説明】
【００１２】
【図１】上ケースと下ケースが分離した状態の制御基板ケースの構成を示す外観斜視図である。
【図２】上ケースと下ケースが分離不能に連結された状態の制御基板ケースの構成を示す外観斜視図である。
【図３】連結ピンの構造を示す正面図と、導電部の構造を示す斜視図である。
【図４】連結ピンが封印固定部に押し込まれる前の状態を示す封印固定部及び近傍の縦方向断面図である。
【図５】連結ピンが封印固定部に押し込まれた後の状態を示す封印固定部及び近傍の縦方向断面図である。
【図６】連結ピンが封印固定部に押し込まれた後において開封部が切断された状態を示す封印固定部及び近傍の縦方向断面図である。
【図７】検出回路の構成を示す回路図である。
【図８】連結ピンが封印固定部に押し込まれてＬＥＤが消灯する状態を示す回路図である。
【図９】開封部が切断されてＬＥＤが点灯する状態を示す回路図である。
【図１０】検出回路の他の構成を示す回路図である。
【図１１】検出回路のさらに他の構成を示す回路図である。
【図１２】連結ピンの他の構造を示す正面図と、導電部の構造を示す斜視図である。
【図１３】図１２に示した連結ピンに接続される検出回路の構成を示す回路図である。
【図１４】図１２に示す連結ピンが封印固定部に押し込まれた後の状態を示す封印固定部及び近傍の縦方向断面図である。
【発明を実施するための形態】
【００１３】
以下、本発明の実施形態について、図面を参照して説明する。
図１は、本発明の実施形態に係るセキュリティ構造が適用される制御基板ケースの分解斜視図、図２は、本発明の実施形態に係るセキュリティ構造が適用されて分離不能な封止状態となった制御基板ケースの外観斜視図である。
これらの図に示すように、本発明の実施形態に係るセキュリティ構造が適用される制御基板ケース１０は、互に開閉可能に嵌合する上ケース２０及び下ケース３０を備えて構成されている。
【００１４】
上ケース２０及び下ケース３０は、互に開閉可能に嵌合して遊技機用制御基板（図示せず）の収納ケースを構成するようになっており、全体が透明プラスチックからなる筐体構造となっている。
上ケース２０には、下ケース３０のヒンジ部（図示せず）と回動自在に係合するヒンジ部（図示せず）が設けられ、これらヒンジ部によって、上ケース２０と下ケース３０が開閉自在に組み立てられるようになっている。
【００１５】
また、上ケース２０及び下ケース３０の開閉側（ヒンジ部と反対側の端部）には、互に上下に重合するように複数の封印固定部２１、３１（Ａ、Ｆ）が突出形成され、これらの封印固定部２１、３１同士が、連結ピン４０ａを介して分離不能に連結されるようになっている。
【００１６】
さらに、上ケース２０には、ケース側面側にも、複数の封印固定部２１（Ｂ〜Ｅ）が形成されている。
このケース側面側の封印固定部２１は、制御基板ケース１０が図示しない遊技機側に取り付けられた場合に、遊技機側に備えられる封印固定部（図示せず）と対応する位置に形成されており、これらの封印固定部同士を連結ピン４０ａを用いて連結させることで、制御基板ケース１０と遊技機とを分離不能に連結固定することができる。
【００１７】
次に、本実施形態に係る制御基板ケース１０の連結構造について、図３〜図５を参照して説明する。
図３の（ａ）は、連結ピンの構造を示す外観正面図、図３の（ｂ）は、連結ピンに嵌め込まれる導電部の構造を示す拡大斜視図、図４は、連結ピンが押し込み挿入される前の状態を示す封印固定部の縦方向断面図（図２のＩ−Ｉ断面図）、図５は、連結ピンが押し込み挿入された状態を示す封印固定部の縦方向断面図（図２のＩ−Ｉ断面図）である。
【００１８】
本実施形態に係る制御基板ケース１０の連結構造では、上ケース２０及び下ケース３０に形成される封印固定部２１、３１同士が連結ピン４０ａを用いて分離不能に連結されるとともに、開封時に開封部２２の切断を要求し、この切断跡が開封の痕跡として残るように構成されている。
なお、ここでは、封印固定部２１、３１の連結構造について先に説明し、開封部２２の構造をその後に説明する。
【００１９】
封印固定部２１、３１同士は、連結ピン４０ａを用いて分離不能に連結される。連結ピン４０ａは、図３に示すように、押し込み操作される頭部４１と、この頭部４１に一体的に連続する軸部４２と、この軸部４２の先端外周部に一体的に形成される係合爪部４３とを有する樹脂製のもので、係合爪部４３は、先端側ほど細くなるテーパー形状になっている。
また、軸部４２（係合爪部４３）には、先端部から基端部にわたって切り込み状の溝部４４が形成されている。そのため、側方から押圧力を受けたとき、弾性変形によって係合爪部４３の径が縮小するようになっている。
【００２０】
さらに、連結ピン４０ａには、銅や鉄などの導電性材料で形成され、後述する検出回路５０に流れる電流を制御する導電部４５ａが外方から嵌め込まれている。導電部４５ａは、図３（ｂ）に示すように、導電性材料を用いて環状に形成した上部接点部４５ａ−１と、同じく導電性材料を用いて環状に形成した下部接点部４５ａ−２と、これらを上下に配置して環状内側同士を導電性材料で連接した連接部４５ａ−３とを有した構造となっている。
【００２１】
上部接点部４５ａ−１と下部接点部４５ａ−２のそれぞれの環状内側の径は、いずれも連結ピン４０ａの軸部４２の径とほぼ同じか僅かに大きくなっている。また、上部接点部４５ａ−１と下部接点部４５ａ−２は、一箇所に切込部４５ａ−４が形成されてＣ字形状となっており、この切込部４５ａ−４により分かれたＣ字形状の二つの端部の一方又は双方を上方又は下方へ弾性的に曲げることで、この導電部４５ａを連結ピン４０ａの外方から嵌合できるようになっている。
【００２２】
この導電部４５ａの連接部４５ａ−３の長さは、連結ピン４０ａの軸部４２の長さとほぼ同じになっている。このため、導電部４５ａを連結ピン４０ａに嵌合した場合、上部接点部４５ａ−１は、連結ピン４０ａの頭部４１の底面４１−１に並接し、下部接点部４５ａ−２は、係合爪部４３の上面４３−１に並接し、連接部４５ａ−３は、軸部４２の側面に並接される。
なお、頭部４１の底面４１−１と上部接点部４５ａ−１、係合爪部４３の上面４３−１と下部接点部４５ａ−２、軸部４２と連接部４５ａ−３は、それぞれ接着剤などで固着してもよい。
また、連結ピン４０ａの軸部４２の表面に軸方向の溝部（図示せず）を形成し、ここに導電部４５ａの連接部４５ａ−３を嵌め込むようにしてもよい。
【００２３】
上ケース２０の封印固定部２１は、上下方向を向く円筒形状に形成され、その内側に、連結ピン４０ａの頭部４１よりも僅かに径寸法が大きい丸孔２１−１を有している。丸孔２１−１の下側には、壁部２１−２を有しており、ここに挿通孔２１−３が形成されている。
挿通孔２１−３の径寸法は、連結ピン４０ａの頭部４１よりも小さく、軸部４２よりも僅かに大きく、また、係合爪部４３よりも僅かに小さく設定されている。
【００２４】
また、壁部２１−２には、導電性材料で形成された環状の上部接触子（第一接触子）２１−４がその壁部２１−２の上面２１−５に沿って配置されている。この上部接触子２１−４の外周の一部には、突起部２１−４１が形成されており、壁部２１−２の上面２１−５から封印固定部２１の外周面に向かって穿設された貫通孔２１−６に挿入され、外周面から突出して、その先端が開封部２２付近に達し、上部配線２２−１を介して検出回路５０に接続されている。
【００２５】
下ケース３０の封印固定部３１も、上下方向を向く円筒形状に形成され、その内側に丸孔３１−１を有している。丸孔３１−１の上側には、壁部３１−２を有しており、ここに係止孔３１−３が形成されている。
係止孔３１−３の径寸法は、連結ピン４０ａの軸部４２よりも僅かに大きく、また、係合爪部４３よりも僅かに小さく設定されている。
【００２６】
また、壁部３１−２には、導電性材料で形成された環状の下部接触子（第二接触子）３１−４がその壁部３１−２の下面３１−５に沿って配置されている。この下部接触子３１−４の外周の一部には、突起部３１−４１が形成されており、壁部３１−２の下面３１−５から封印固定部３１の外周面に向かって穿設された貫通孔３１−６に挿入され、その先端が下ケース３０の本体に向かって外周面から突出し、下部配線３２を介して検出回路５０に接続されている。
【００２７】
そして、上ケース２０及び下ケース３０の封印固定部２１、３１が重合した状態で、上ケース２０の封印固定部２１（丸孔２１−１）に連結ピン４０ａを押し込むと、先端部のテーパーガイドにより係合爪部４３が縮径状態で挿通孔２１−３を通過する。この通過後、係合爪部４３は、一旦弾性復元して封印固定部２１の壁部２１−２の底面に係合する（図４参照）。
この係合により、連結ピン４０ａが上ケース２０の封印固定部２１から抜けるのを防止できる。
【００２８】
また、上ケース２０及び下ケース３０の封印固定部２１、３１が重合した状態で、さらに連結ピン４０ａを下ケース３０の封印固定部３１（丸孔３１−１）に押し込むと、先端部のテーパーガイドにより係合爪部４３が縮径状態で係止孔３１−３を通過する。このとき、頭部４１は、挿通孔２１−３の通過が規制され、また、係合爪部４３は、係止孔３１−３を通過後、弾性復元して封印固定部３１の壁部３１−２の下面３１−５に係合する（図５参照）。
これにより、上ケース２０及び下ケース３０の封印固定部２１、３１が連結ピン４０ａを介して一体的に連結固定される。
【００２９】
そして、これら封印固定部２１、３１が連結固定された状態においては、連結ピン４０ａの導電部４５ａの上部接点部４５ａ−１が封印固定部２１の上部接触子２１−４に接合し、導電部４５ａの下部接点部４５ａ−２が封印固定部３１の下部接触子３１−４に接合する。ここで、上部接点部４５ａ−１と下部接点部４５ａ−２は、連接部４５ａ−３を介して連接しており、これらは導電性材料で形成されているため、上部接触子２１−４と下部接触子３１−４が導電部４５ａを介して電気的に導通可能となる。
【００３０】
このように連結ピン４０ａが押し込み挿入される封印固定部２１は、上ケース２０との間が開封部２２によって結合されている。開封部２２は、意識的に切断容易な板状に形成されており、ニッパなどの剪断工具を用いて切断することにより、封印固定部２１が上ケース２０から分離され、制御基板ケース１０の開閉が可能になっている。開封部２２の切断跡は、開封の痕跡として残り、これを確認することで開封の有無が判定される。
【００３１】
なお、本実施形態では、封印固定部２１が、二つの開封部２２を介して上ケース２０に結合されている。
これにより、上ケース２０の開封に際し、一つの封印固定部２１につき、二つの開封部２２を切断することが要求され、痕跡を残さない開封や、痕跡の隠蔽が更に困難になる。
【００３２】
また、開封部２２には、極細裸リード線などで形成された上部配線２２−１が配設されており、図６に示すように、開封部２２が切断されると、上部配線２２−１も一緒に切断されるようになっている。上部配線２２−１が切断されると、後述する検出回路５０ａに流れる電流の経路も変わるため、報知部の動作を切替制御することができる。この上部配線２２−１の切断による報知部の動作の切替制御については、後記の「検出回路及びその動作」にて詳述する。
【００３３】
なお、このような連結構造を構成する封印固定部２１、３１は、上ケース２０及び下ケース３０にそれぞれ複数形成されている。これは、遊技機の認証確認を受ける際に必要となるからである。すなわち、遊技機の認証確認を受ける前は、一部の封印固定部２１、３１において連結ピン４０ａを押し込み挿入して上ケース２０と下ケース３０を分離不能に連結しておく。認証確認を受ける際、その連結ピン４０ａが押し込み挿入された封印固定部２１、３１に連続する開封部２２が切断され、上ケース２０が開封可能となって、認証確認が行われる。認証確認が終了すると、今度は、複数用意された封印固定部２１、３１のうち、連結ピン４０ａが未だ押し込まれていない封印固定部２１、３１にて連結ピン４０ａを押し込み挿入する。これにより、上ケース２０と下ケース３０を再度分離不能に連結することができる。
【００３４】
次に、本発明の実施形態に係るセキュリティ構造を構成する、検出回路及びその動作について、図７〜図９を参照して説明する。
図７は、検出回路の構成と、連結ピンが押し込み挿入される前の状態における検出回路の動作を示す回路図、図８は、連結ピンが押し込み挿入された状態における検出回路の動作を示す回路図、図９は、開封部が切断された状態における検出回路の動作を示す回路図である。
【００３５】
本実施形態に係るセキュリティ構造は、上ケース２０及び下ケース３０に形成される封印固定部２１、３１同士が連結ピン４０ａを用いて分離不能に連結されるとともに、開封部２２の切断により該開封部２２に切断の痕跡を残すように構成されている。また、本実施形態に係るセキュリティ構造は、連結ピン４０ａによる封印固定部２１、３１の連結前と連結後で検出回路５０ａに設けられた報知部の動作態様が異なることで、上ケース２０と下ケース３０が分離不能に連結されたことを確認でき、さらに、上ケース２０と下ケース３０の連結解除の前後で報知部の動作態様が異なることで、その連結解除を管理者に報知できるように構成されている。
【００３６】
この本実施形態に係るセキュリティ構造を構成する検出回路５０ａは、制御基板ケース１０の内部（分離不能に連結された二つの部材（上ケース２０と下ケース３０）により形成される閉空間内、例えば、制御基板上など）に設けられており、図７に示すように、給電部Ｖ１からの電力の供給を受けて点灯するＬＥＤなどの発光素子（報知部）と、この発光素子が点灯可能な電流を流すための抵抗Ｒ１とを有して、これら発光素子と抵抗Ｒ１が直列に接続されており、さらに、上部接触子２１−４及び下部接触子３１−４が発光素子に並列に接続されている。
そして、上部接触子２１−４と下部接触子３１−４は、封印固定部２１、３１の内部で離間して配置されており、連結ピン４０ａが封印固定部２１、３１に押し込み挿入されると、導電部４５ａがそれら上部接触子２１−４と下部接触子３１−４との両方に接合して、上部接触子２１−４→導電部４５ａ→下部接触子３１−４の経路を形成するようになっている。つまり、導電部４５ａも、給電部から供給される電流の経路の一部を構成可能となっており、上記経路が形成されたか否かで検出回路５０ａにおける電流の流れる経路も異なることから、報知部の動作を制御でき、これにより、連結ピン４０ａによる封印固定部２１、３１の連結状態を検出できる。
【００３７】
具体的には、検出回路５０ａは、次のように動作する。
例えば、連結ピン４０ａが封印固定部２１、３１に押し込まれる前の状態では、図７に示すように、連結ピン４０ａの導電部４５ａが上部接触子２１−４や下部接触子３１−４に接合していない。このため、上部接触子２１−４と下部接触子３１−４との間が電気的に接続されておらず、開放状態にあるので、発光素子に電流が流れて点灯動作する。このように点灯している発光素子を視認することで、連結ピン４０ａが未だ押し込まれておらず封印固定部２１、３１が連結されていないものと判断できる。
【００３８】
連結ピン４０ａが封印固定部２１、３１に押し込まれて封印固定部２１、３１が分離不能に連結されると、図８に示すように、連結ピン４０ａの導電部４５ａが上部接触子２１−４と下部接触子３１−４に接合し、これら上部接触子２１−４と下部接触子３１−４が導電部４５ａを介して電気的に接続される。つまり、上部接触子２１−４と下部接触子３１−４が電気スイッチの固定端子に相当し、導電部４５ａが移動端子に相当して、移動した導電部４５ａが上部接触子２１−４と下部接触子３１−４の両方に接合することにより、上部接触子２１−４→導電部４５ａ→下部接触子３１−４の経路が形成される。そして、この経路に給電部Ｖ１からの電流が流れるので、発光素子に電流が流れなくなり消灯動作する。
【００３９】
これらのように、連結ピン４０ａを封印固定部２１、３１に押し込む前と押し込んだ後で、発光素子が点灯から消灯へ変化する（報知部の動作態様が異なる）ので、この変化を視認することで、連結ピン４０ａが押し込まれて封印固定部２１、３１が確実に分離不能に連結されたか否かを判断できる。
【００４０】
さらに、図９に示すように、開封部２２の切断に伴い上部配線２２−１が切断されると、上部接触子２１−４、導電部４５ａ、下部接触子３１−４に電流が流れなくなり、発光素子に電流が流れて点灯動作する。
このように、開封部２２が切断される前と切断された後で、発光素子が消灯から点灯へ変化する（報知部の動作態様が異なる）ことにより、開封部２２が切断された痕跡を残すことができ、その変化を視認することで開封部２２が切断されたか否かを判断できる。
【００４１】
また、検出回路５０ａや給電部Ｖ１が制御基板ケース１の内部閉空間内に設けられているので、制御基板ケース１が開封されない限り、それら検出回路５０ａ等に対して、断線や回路変更といった不正行為を行うことができない。このことからも、報知部の動作態様の変化による制御基板ケース１の連結解除の痕跡を確実に残すことができる。
【００４２】
なお、図７〜図９に示す検出回路５０ａにおいては、発光素子を報知部として使用した。ただし、報知部は、発光素子に限るものではなく、例えば、所定の音声を発する音声出力手段や、所定の信号を他の装置へ送信する信号送信手段などを使用することもできる。
【００４３】
また、検出回路５０ａの構成は、図７〜図９に示す構成に限るものではなく、例えば、図１０に示すように、インバータを用いたロジック回路で構成することもできる。
この検出回路ｂは、次のように動作する。例えば、連結ピン４０ａの押し込み挿入前は、検出回路ｂの入力がＬとなり、抵抗Ｒ１側にＨが出力されて、発光素子（ＬＥＤ）が点灯する。連結ピン４０ａが押し込み挿入されると、検出回路ｂの入力がＨとなり、抵抗Ｒ１側にＬが出力されて、発光素子が消灯する。開封部２２が切断されると、検出回路ｂの入力がＬとなり、抵抗Ｒ１側にＨが出力されて、発光素子が点灯する。
このように、検出回路ｂも、図７〜図９に示す検出回路ａと同様の動作をするため、封印固定部２１、３１が分離不能に連結されたことを検出したり、開封部２２が切断された痕跡を残したりすることができる。
【００４４】
さらに、図７〜図９に示す検出回路５０ａにおいては、連結ピン４０ａを封印固定部２１、３１に押し込む前と押し込んだ後で発光素子を点灯から消灯へ変化させ、開封部２２が切断される前と切断された後で発光素子を消灯から点灯へ変化させるようにしたが、発光素子の動作態様は、これに限るものではなく、例えば、図１１に示す検出回路５０ｃを用いることにより、連結ピン４０ａを封印固定部２１、３１に押し込む前と押し込んだ後で発光素子を消灯から点灯へ変化させ、開封部２２が切断される前と切断された後で発光素子を点灯から消灯へ変化させるようにすることもできる。
【００４５】
また、発光素子は、図７〜図９においては、検出回路５０ａに設けたが、これに限るものではなく、例えば、図１２に示すように、連結ピン４０ｂの内部に設けることができる。
この場合、導電部４５ｂの構成としては、発光素子４５ｂ−５の一方の端子と上部接点部４５ｂ−１との間をジャンパ線４５ｂ−６で接続し、発光素子４５ｂ−５の他方の端子と下部接点部４５ｂ−２との間を極細裸リード線４５ｂ−７で接続することで、上部接点部４５ｂ−１と発光素子４５ｂ−５と下部接点部４５ｂ−２との間を電気的に導通可能とすることができる。
【００４６】
この導電部４５ｂを連結ピン４５ｂに嵌め込んだ場合、発光素子４５ｂ−５は、軸部４２の側面から頭部４１の上面中央にかけてＬ字形状に穿設された収納孔４６にジャンパ線４５ｂ−６とともに収納され、極細裸リード線４５ｂ−７は、外傷を防ぐために、軸部４２の側面に形成された溝部（図示せず）に埋め込むように配置される。そして、頭部４１の上面中央に位置する収納孔４６の開口には透光性材料で形成された窓部材４７が装着されており、発光素子４５ｂ−５の発光を外部から視認可能になっている。
【００４７】
さらに、発光素子４５ｂ−５を内蔵した連結ピン４０ｂを用いる場合、検出回路５０ｄは、図１３に示すように、給電部Ｖ１と上部接触子２１−４との間に抵抗Ｒ１を直列に接続し、下部接触子３１−４を接地する構成としている。
この構成において、例えば、連結ピン４０ｂが封印固定部２１、３１に押し込まれる前の状態では、導電部４５ｂが上部接触子２１−４及び下部接触子３１−４に接合せず、これら上部接触子２１−４と導電部４５ｂとの間、及び、導電部４５ｂと下部接触子３１−４との間がそれぞれ開放状態にあるので、発光素子４５ｂ−５に電流が流れず消灯する。
【００４８】
また、連結ピン４０ｂが封印固定部２１、３１に押し込まれて封印固定部２１、３１が分離不能に連結されると、上部接触子２１−４と下部接触子３１−４が導電部４５ｂを介して電気的に接続され、発光素子４５ｂ−５に電流が流れて点灯する（図１３、図１４参照）。
このように、連結ピン４０ｂを封印固定部２１、３１に押し込む前と押し込んだ後で、発光素子が消灯から点灯へ変化する（報知部の動作態様が異なる）ので、この変化を視認することで、連結ピン４０ｂが押し込まれて封印固定部２１、３１が確実に分離不能に連結されたか否かを判断できる。
【００４９】
さらに、開封部２２の切断により上部配線２２−１が切断されると、上部接触子２１−４、導電部４５ｂ、下部接触子３１−４に電流が流れなくなり、発光素子４５ｂ−５に電流が流れなくなり消灯する。
このように、開封部２２が切断される前と切断された後で、発光素子が点灯から消灯へ変化する（報知部の動作態様が異なる）ので、開封部２２が切断された痕跡を残すことができ、その変化を視認することで開封部２２が切断されたか否かを判断できる。
【００５０】
なお、連結ピン４０ｂの頭部４１や軸部４２、あるいは連結ピン４０ｂの全体を透光性の材料で形成することにより、発光素子４５ｂ−５の点灯を外部から容易に視認することができる。
【００５１】
以上説明したように、本実施形態のセキュリティ構造によれば、連結ピンによる上ケースと下ケースの連結前と連結後で報知部の動作態様が異なるので、それら上ケースと下ケースが本当に分離不能な封止状態となったかどうかを判断できる。
また、開封部の切断に伴い、この開封部に配設された上部配線も切断されて、発光素子が点灯又は消灯するので、この発光素子の動作態様の変化によって不正行為の痕跡を残し、遊技機点検の際の目視検査を容易に行うことができる。
【００５２】
さらに、検出回路の構成を、発光素子などの報知部への給電を制御する簡単な構成としたので、制御基板を破断してこの制御基板に負担をかけることがなく、さらに、ＣＰＵや記憶装置を搭載した制御回路に負担をかけることがない。
しかも、連結ピンを完全に封印固定部に押し込み挿入したときにのみ発光素子への導通（又は非導通）を可能にしているので、誤動作がほとんどない。
【００５３】
また、開封部の切断ではなく、連結ピンを軸芯方向からドリルなどで破壊したり、又は、連結ピンの軸部を剪断したりするなどして、上ケースを開封する不正行為があった場合でも、連結ピンの導電部と各接触子との導通が断たれるので、発光素子の動作態様が変化する。これにより、不正の痕跡を容易に目視確認することができる。
【００５４】
以上、本発明のセキュリティ構造の好ましい実施形態について説明したが、本発明に係るセキュリティ構造は上述した実施形態にのみ限定されるものではなく、本発明の範囲で種々の変更実施が可能であることは言うまでもない。
例えば、上述した実施形態では、遊技機に設けられる制御基板用のケースを対象としたセキュリティ構造について説明したが、遊技機に限るものではなく、例えば、遊技に使用されるパチンコ玉やメダルなどの遊技媒体を遊技者に貸出す遊技媒体貸出機、遊技媒体の数量を計数する計数機、遊技機ごとに設置され遊技機からの信号を中継する台コンピュータ、複数の遊技機で構成される遊技機島に設置され台コンピュータとホールコンピュータとの間で信号の中継を行う島コンピュータ、遊技機ごとに設置され遊技に関する各種データを表示する呼出しランプなど、遊技場に設置される各種装置において、これら各種装置に設けられた制御基板を、装置内の固定部材に連結ピンを介して分離不能（取り外し不能）に連結（固定）する連結構造にも、本発明のセキュリティ構造を適用することができる。
【００５５】
また、本発明のセキュリティ構造は、上述した実施形態のように、所定の基板を収納する上ケース２０と下ケース３０を分離不能に連結する連結構造だけでなく、例えば、孔部を有する所定の基板を、孔部を有する所定の固定部材に連結ピンを介して直接固定する連結構造にも適用可能である。つまり、本発明のセキュリティ構造は、連結ピンを介して二つの部材を分離不能に連結する連結構造であれば、全てに適用できる。
【００５６】
さらに、連結ピンに搭載された発光素子の色を連結ピンごとに変えることにより、上ケースの開封履歴を明確にすることができる。例えば、第一の連結ピンに搭載された発光素子の色を白色、第二の連結ピンに搭載された発光素子の色を赤色とする。遊技機の認証確認前（出荷時）は、第一の連結ピンにより上ケースと下ケースを連結封印し、認証確認終了後（不正検査後）、遊技機へ取り付ける際には、第二の連結ピンにより上ケースと下ケースを連結封印する。これにより、白色の発光素子が点灯していれば認証確認前であることがわかり、赤色の発光素子が点灯していれば認証確認後であることがわかり、すべての発光素子が消灯していれば不正行為により開封部が切断されたことがわかる。
【００５７】
また、上述した実施形態では、連結ピンは、樹脂製としたが、樹脂製に限るものではなく、導電性材料で形成することができる。この場合、導電部は不要となり、この連結ピン本体により、上部接触子と下部接触子とを電気的に接続することができる。
【００５８】
さらに、発光素子を下ケースの封印固定部の丸孔の底部に設けるとともに、連結ピン本体を透光性材料で形成し、さらに、検出回路の構成を、図１１に示すように、連結ピンによる封印固定部の連結により発光素子が点灯し、開封部の切断により消灯するようにする。このようにすれば、複数の連結ピンのうち、封印固定部に押し込まれた連結ピンの先端は、発光素子に接近するので、透光性を有する連結ピン自体が明るく光る。これに対し、封印固定部に押し込まれていない連結ピンは、発光素子が点灯しないため、連結ピン自体も光らない。これにより、連結ピンが上ケースと下ケースを分離不能に連結しているか否かを判断できる。しかも、開封部が切断されると、発光素子が消灯し、連結ピン自体も光らなくなるので、開封部が切断された痕跡を残すことができる。
【００５９】
そして、上ケースの封印固定部の壁部に配置される上部接触子の上面には、内周に沿って凸部を連続的又は間歇的に形成することができる。この凸部を有することで、連結ピンの導電部の上部接点部との接合がより確実なものとなる。
同様に、下ケースの封印固定部の壁部に配置される下部接触子の下面には、内周に沿って凸部を連続的又は間歇的に形成することができる。この凸部を有することで、連結ピンの導電部の下部接点部との接合をより確実なものとすることができる。
【産業上の利用可能性】
【００６０】
本発明は、遊技機に取り付けられる遊技機用基板ケースに広く利用することができる。
【符号の説明】
【００６１】
１０  制御基板ケース
２０  上ケース
２１  封印固定部
２１−４  上部接触子
３０  下ケース
３１  封印固定部
３１−４  下部接触子
４０ａ、４０ｂ  連結ピン
４１  頭部
４２  軸部
４３  係合爪部
４５ａ、４５ｂ  導電部
４５ａ−１、４５ｂ−１  上部接点部
４５ａ−２、４５ｂ−２  下部接点部
５０ａ〜５０ｄ  検出回路
【図１】
2011194124.tif 000003
【図２】
2011194124.tif 000004
【図３】
2011194124.tif 000005
【図４】
2011194124.tif 000006
【図５】
2011194124.tif 000007
【図６】
2011194124.tif 000008
【図７】
2011194124.tif 000009
【図８】
2011194124.tif 000010
【図９】
2011194124.tif 000011
【図１０】
2011194124.tif 000012
【図１１】
2011194124.tif 000013
【図１２】
2011194124.tif 000014
【図１３】
2011194124.tif 000015
【図１４】
2011194124.tif 000016